(57)【特許請求の範囲】
【請求項１】
牽引機構に牽引される埋設ヘッドが地中を進行して前記埋設ヘッドに装着された波形管を埋設する排水管埋設装置であって、
前記牽引機構に連結され、後方に向かって設けられ上下方向に可動可能な第１アームと、
前記第１アームから下方に向かって設けられる第２アームと、
前記第２アームの下端に設けられ、前端が閉じられるとともに後端が開口部によって開口され、前記開口部に前記波形管の一端が装着される管状部を備える埋設ヘッドと、を備え、
前記開口部は、後方に向かって延伸される上円弧部、前記上円弧部から内周方向に突出した１つ以上の上爪部、前記上円弧部より相対的に前方に位置する第１下円弧部、及び前記第１下円弧部から内周方向に突出しつつ前記上爪部より相対的に前方に位置する１つ以上の第１下爪部を備えることを特徴とする排水管埋設装置。
【請求項２】
牽引機構に牽引される埋設ヘッドが地中を進行して前記埋設ヘッドに装着された波形管を埋設する排水管埋設装置であって、
前記牽引機構に連結され、後方に向かって設けられ上下方向に可動可能な第１アームと、
前記第１アームから下方に向かって設けられる第２アームと、
前記第２アームの下端に設けられ、前端が閉じられるとともに後端が開口部によって開口され、前記開口部に前記波形管が装着される管状部を備える埋設ヘッドと、を備え、
前記開口部は、後方に向かって延伸される上円弧部、前記上円弧部から内周方向に突出した１つ以上の上爪部、前記上円弧部より相対的に前方に位置する第１下円弧部、前記第１下円弧部から蝶番で下方に開閉可能かつ前記上円弧部まで設けられた円弧板、前記円弧板の後端に設けられる第２下円弧部、及び前記第２下円弧部から内周方向に突出した１つ以上の第２下爪部を備えることを特徴とする排水管埋設装置。
【請求項３】
前記円弧板を閉じる方向に付勢する付勢部、又は前記円弧板を閉じた状態で所定の力で保持する閉保持部を備えることを特徴とする請求項２に記載の排水管埋設装置。
【請求項４】
前記管状部の先端に、前方に向かって下方向に傾斜された傾斜板を備えることを特徴とする請求項１ないし３のいずれか１項に記載の排水管埋設装置。
【請求項５】
前記第１アームに、前記第１アームが所定の高さから下降するのを防止するための接地基準輪が設けられていることを特徴とする請求項１ないし４のいずれか１項に記載の排水管埋設装置。
【請求項６】
前記第１アームの上にリール部が設けられ、
前記リール部は、前記波形管を巻き回して収納又は送出するリール回動部と、
前記リール回動部を支持する回動軸を垂直方向に備えるリール基部と、を備えることを特徴とする請求項１ないし５のいずれか１項に記載の排水管埋設装置。
【請求項７】
前記波形管の補充時に、前記リール回動部を前記第１アームの軸と直交する方向に傾斜させる傾斜機構を備えることを特徴とする請求項６に記載の排水管埋設装置。
【請求項８】
前記リール回動部及び前記リール基部を地面に支持させるリール脚部と、
前記リール基部を前記第１アームから着脱させるリール着脱部と、を備えることを特徴とする請求項６又は７に記載の排水管埋設装置。
【請求項９】
前記リール回動部から前記波形管を送出した状態で前記波形管を保持するとともに、前記リール回動部からの距離を変更可能とするローラ部を備えることを特徴とする請求項６ないし８のいずれか１項に記載の排水管埋設装置。
【請求項１０】
請求項１ないし９のいずれか１項に記載の排水管埋設装置を用いてなされる排水管埋設方法であって、
前記埋設ヘッドの前記開口部に前記波形管を装着する波形管装着工程と、
前記埋設ヘッドを地表より低い位置に配置させる埋設ヘッド配置工程と、
前記牽引機構によって前記第２アームを牽引して前記第２アームで地表から前記埋設ヘッドまでの土を切断しつつ前記埋設ヘッドを地中で前進させる埋設ヘッド牽引工程と、
所定の位置まで前記埋設ヘッドが到達したとき、前記第１アームを上昇させて前記波形管を地中に残しつつ前記埋設ヘッドを引上げる埋設ヘッド引上げ工程と、
を含むことを特徴とする排水管埋設方法。
【請求項１１】
前記埋設ヘッド配置工程が、前記埋設ヘッドが畦畔の法面にある状態で行なわれ、
前記埋設ヘッド配置工程の後に前記埋設ヘッドを前記法面から地中に埋入させる埋設ヘッド埋入工程がなされ、
前記埋設ヘッド埋入工程の後に前記埋設ヘッド牽引工程がなされることを特徴とする請求項１０に記載の排水管埋設方法。
【発明の詳細な説明】
【技術分野】
【０００１】
本発明は、地中に排水管を埋設する排水管埋設装置及び排水管埋設方法に関する。
【背景技術】
【０００２】
従来、特開平５−２０２５１２号公報に、暗渠排水管として十分な管径を有し、耐土圧強度の大きな波形管を弾丸暗渠によって施工することを目的として、波形管の一端を、牽引機に牽引された弾丸の後方に着脱自在に取付け、牽引機を走行させて波形管を地中に引き込む暗渠排水管の施工法が開示されている。
【先行技術文献】
【特許文献】
【０００３】
【特許文献１】特開平５−２０２５１２号公報
【発明の概要】
【発明が解決しようとする課題】
【０００４】
しかし、特許文献１に開示されている技術では、排水管を地中に引き込むことは容易であっても、所定の位置まで弾丸を牽引した後、弾丸の周囲を掘削して人手で弾丸から波形管を取外す必要があった。
【０００５】
本発明は、上記の点に鑑みなされたもので、所定の位置まで埋設ヘッドを牽引した後、埋設ヘッドを地中から引き上げるだけで埋設ヘッドから波形管を取り外すことができる排水管埋設装置及び排水管埋設方法を提供することを目的とする。
【課題を解決するための手段】
【０００６】
本発明の排水管埋設装置は、
牽引機構に牽引される埋設ヘッドが地中を進行して前記埋設ヘッドに装着された波形管を埋設する排水管埋設装置であって、
前記牽引機構に連結され、後方に向かって設けられ上下方向に可動可能な第１アームと、
前記第１アームから下方に向かって設けられる第２アームと、
前記第２アームの下端に設けられ、前端が閉じられるとともに後端が開口部によって開口され、前記開口部に前記波形管の一端が装着される管状部を備える埋設ヘッドと、を備え、
前記開口部は、後方に向かって延伸される上円弧部、前記上円弧部から内周方向に突出した１つ以上の上爪部、前記上円弧部より相対的に前方に位置する第１下円弧部、及び前記第１下円弧部から内周方向に突出しつつ前記上爪部より相対的に前方に位置する１つ以上の第１下爪部を備えることを特徴とする。
【０００７】
本発明の排水管埋設装置によれば、埋設ヘッドの開口部が上円弧部と前記上円弧部から相対的に前方に位置する第１下円弧部とを備える構成となっている。このため、側面視で開口部の下側が切り欠いたような状態となっており、開口部に挿入された波形管が埋設ヘッドの開口部を支点として下側に容易に屈曲又は回動する。これにより、埋設ヘッドの管状部と波形管との軸が同じ直線上にあるときは、上爪部と第１下爪部とで波形管の溝を保持して波形管が抜けることがない。一方、波形管を所定の位置まで埋設した後に、埋設ヘッドを上方に引き上げれば、波形管は地中に残ろうして埋設ヘッドに対して屈曲又は回動する。これにより、上爪部と第１下爪部とが波形管の溝から外れ、埋設ヘッドから波形管を離脱させることができる。
【０００８】
本発明の排水管埋設装置は、
牽引機構に牽引される埋設ヘッドが地中を進行して前記埋設ヘッドに装着された波形管を埋設する排水管埋設装置であって、
前記牽引機構に連結され、後方に向かって設けられ上下方向に可動可能な第１アームと、
前記第１アームから下方に向かって設けられる第２アームと、
前記第２アームの下端に設けられ、前端が閉じられるとともに後端が開口部によって開口され、前記開口部に前記波形管が装着される管状部を備える埋設ヘッドと、を備え、
前記開口部は、後方に向かって延伸される上円弧部、前記上円弧部から内周方向に突出した１つ以上の上爪部、前記上円弧部より相対的に前方に位置する第１下円弧部、前記第１下円弧部から蝶番で下方に開閉可能かつ前記上円弧部まで設けられた円弧板、前記円弧板の後端に設けられる第２下円弧部、及び前記第２下円弧部から内周方向に突出した１つ以上の第２下爪部を備えることを特徴とする。
【０００９】
本発明の排水管埋設装置によれば、埋設ヘッドの開口部の第１下円弧部から後方に向かって設けられた下方向に開閉可能な円弧板を備えるため、上爪部と第２下爪部とが同じ円周上に存在する。これにより、波形管の同じ溝を上下から上爪部と第２下爪部とで保持することができ、埋設ヘッドの牽引時において波形管を安定的に保持することができる。
【００１０】
本発明の排水管埋設装置の好ましい例は、
前記円弧板を閉じる方向に付勢する付勢部、又は前記円弧板を閉じた状態で所定の力で保持する閉保持部を備えることを特徴とする。
【００１１】
本発明の排水管埋設装置の好ましい例によれば、円弧板を閉じる方向に付勢する付勢部、又は円弧板を閉じた状態かつ所定の力で保持する閉保持部を備えるため、埋設ヘッドの牽引中又は作業中に円弧板が開いてしまうのを防止でき、埋設ヘッドによる波形管の保持をより安定的に行なうことができる。
【００１２】
本発明の排水管埋設装置の好ましい例は、
前記管状部の先端に、前方に向かって下方向に傾斜された傾斜板を備えることを特徴とする。
【００１３】
本発明の排水管埋設装置の好ましい例によれば、管状部の先端に、前方に向かって下方向に傾斜された傾斜板を備えるため、牽引時の埋設ヘッドの地中における浮き上がりを防止することができる。
【００１４】
本発明の排水管埋設装置の好ましい例は、
前記第１アームに、前記第１アームが所定の高さから下降するのを防止するための接地基準輪が設けられていることを特徴とする。
【００１５】
本発明の排水管埋設装置の好ましい例によれば、第１アームが所定の高さから下降するのを防止するための接地基準輪が設けられているため、第１アームの高さを一定に保つことができる。
【００１６】
本発明の排水管埋設装置の好ましい例は、
前記第１アームの上にリール部が設けられ、
前記リール部は、前記波形管を巻き回して収納又は送出するリール回動部と、
前記リール回動部を支持する回動軸を垂直方向に備えるリール基部と、を備えることを特徴とする。
【００１７】
本発明の排水管埋設装置の好ましい例によれば、第１アームにリール部を備えるため、波形管の運搬と送出が容易となる。
【００１８】
本発明の排水管埋設装置の好ましい例は、
前記波形管の補充時に、前記リール回動部を前記第１アームの軸と直交する方向に傾斜させる傾斜機構を備えることを特徴とする。
【００１９】
本発明の排水管埋設装置の好ましい例によれば、リール回動部を第１アームの軸と直交する方向に傾斜させる傾斜機構を備えるため、横方向からリール回動部に波形管を補充することができ、波形管の補充作業が容易となる。
【００２０】
本発明の排水管埋設装置の好ましい例は、
前記リール回動部及び前記リール基部を地面に支持させるリール脚部と、
前記リール基部を前記第１アームから着脱させるリール着脱部と、を備えることを特徴とする。
【００２１】
本発明の排水管埋設装置の好ましい例によれば、リール脚部とリール着脱部とを備えるため、第１アームの上下動作によって、リール回動部を所定の場所にリール脚部で置くこと及び置いた場所から第１アームに再度積載することができる。
【００２２】
本発明の排水管埋設装置の好ましい例は、
前記リール回動部から前記波形管を送出した状態で前記波形管を保持するとともに、前記リール回動部からの距離を変更可能とするローラ部を備えることを特徴とする。
【００２３】
本発明の排水管埋設装置の好ましい例によれば、波形管を保持するとともに、リール回動部からの距離を変更可能とするローラ部を備えるため、波形管の折曲げを緩やかにすることができ、リール回動部からの波形管の送出が妨げられることがない。
【００２４】
本発明の排水管埋設方法は、
請求項１ないし９のいずれか１項に記載の排水管埋設装置を用いてなされる排水管埋設方法であって、
前記埋設ヘッドの前記開口部に前記波形管を装着する波形管装着工程と、
前記埋設ヘッドを地表より低い位置に配置させる埋設ヘッド配置工程と、
前記牽引機構によって前記第２アームを牽引して前記第２アームで地表から前記埋設ヘッドまでの土を切断しつつ前記埋設ヘッドを地中で前進させる埋設ヘッド牽引工程と、
所定の位置まで前記埋設ヘッドが到達したとき、前記第１アームを上昇させて前記波形管を地中に残しつつ前記埋設ヘッドを引上げる埋設ヘッド引上げ工程と、
を含むことを特徴とする。
【００２５】
本発明の排水管埋設方法によれば、上述の排水管埋設装置と同様の作用効果を奏することができる。
【００２６】
本発明の排水管埋設方法の好ましい例は、
前記埋設ヘッド配置工程が、前記埋設ヘッドが畦畔の法面にある状態で行なわれ、
前記埋設ヘッド配置工程の後に前記埋設ヘッドを前記法面から地中に埋入させる埋設ヘッド埋入工程がなされ、
前記埋設ヘッド埋入工程の後に前記埋設ヘッド牽引工程がなされることを特徴とする。
【００２７】
本発明の排水管埋設方法の好ましい例によれば、畦を掘り返すことなく排水管を埋設することができるため、水田転換畑への施工の場合、水稲作時の漏水リスクを低減させることができる。
【発明の効果】
【００２８】
上述したように、本発明の排水管埋設装置及び排水管埋設方法によれば、所定の位置まで埋設ヘッドを牽引した後、埋設ヘッドを地中から引き上げるだけで埋設ヘッドから波形管を取り外すことができる。
【図面の簡単な説明】
【００２９】
【図１】本発明の一実施形態の排水管埋設装置を説明する図である。
【図２】排水管埋設装置の第１アームを上昇させた状態を説明する図である。
【図３】埋設ヘッドの例を説明する図である。
【図４】埋設ヘッドへの波形管の着脱を説明する図である。
【図５】埋設ヘッドの他の例を示す図である。
【図６】埋設ヘッドの他の例を示す図である。
【図７】リール部を説明する図である。
【図８】本発明の排水管埋設方法を説明する図である。
【図９】本発明の排水管埋設方法を説明する図である。
【図１０】本発明の排水管埋設方法を説明する図である。
【図１１】本発明の排水管埋設方法を説明する図である。
【発明を実施するための形態】
【００３０】
以下、本発明の排水管埋設装置１及び排水管埋設方法の実施形態を、添付図面を参照して詳細に説明する。この排水管埋設装置１及び排水管埋設方法は、波形管３を田畑、ゴルフ場、公園等の地中に埋設させ、排水管として利用するものである。波形管３にはそのときの状況によって管の周囲に小さな穴が開いている有孔管と、開いていない無孔管を適宜採用することができる。先ずは、排水管埋設装置１を説明する。
【００３１】
図１及び図２に示すように、本実施形態の排水管埋設装置１は、第１アーム１０と、第２アーム１２と、埋設ヘッド２０ａと、接地基準輪１４と、リール部４０と、を備える。この排水管埋設装置１は、牽引機構２である農作業用のトラクタ２等の、３点リンク４に連結されることによって牽引される。この３点リンク４とは、トラクタ２の後部に取り付けられた装置であり、作業機等を連結し、必要に応じて作業機を上下等させるための機構である。ここでは、作業機として排水管埋設装置１を連結している。また、牽引機構２としてブルドーザ等の建設機械を用いることもできる。
【００３２】
第１アーム１０は、トラクタ２の後部に設けられた３点リンク４に、連結部１１によって連結される角柱状のものである。この第１アーム１０は、その長手方向が後方に向かって設けられ、トラクタ２の３点リンク４によって上下方向に可動可能とされる。この上下方向に可動されるとき、図１に示すように第１アーム１０が下側に来たときは、埋設ヘッド２０ａが地表６０より低い位置に配置される。また、図２に示すように、第１アーム１０が上側に来たときは、埋設ヘッド２０ａが地表６０より高い位置に配置される。このように、埋設ヘッド２０ａの位置は地中と地表６０上とに移動可能に構成される。また、第１アーム１０の前後方向の長さは、圃場６１内から畦畔６２を超えて法面６３まで埋設ヘッド２０ａを配置できる長さにすることが好ましい（図８参照）。このため、第１アーム１０の長さとしては１．５メートル〜２．５メートルが好適である。この第１アーム１０の上には、リール部４０を載せるための形鋼１５が設けられる（図７（Ｃ）参照）。
【００３３】
第２アーム１２は、上記の第１アーム１０の後端に設けられるもので、第１アーム１０から下方に向かって設けられる板状のものである。この第２アーム１２は、埋設ヘッド２０ａが地中にあるときは、埋設ヘッド２０ａから地表６０までの土を切断する役目を有する。このため、第２アーム１２の前端には刃１３が付けられて、ナイフ状に尖っていることが好ましい（図３（Ｃ）破線部分参照）。また、上記の第１アーム１０と第２アーム１２とは、別々の部材で構成する必要はなく、一体化させてもよい。
【００３４】
埋設ヘッド２０ａは、上記の第２アーム１２の下端に設けられるものであり、図３（Ａ）〜（Ｄ）にも示すように、管状部２１ａと、傾斜板２２ａと、取付部２３ａとを備える。図３（Ａ）は埋設ヘッド２０ａの側面図、図３(Ｂ)は背面図、図３（Ｃ）は平面図、図３（Ｄ）は底面図である。管状部２１ａは、略円筒形をなすもので、前端が閉じられ後端が開口部２４ａによって開口されている。この開口部２４ａに波形管３が挿入されることで装着されるのである。
【００３５】
開口部２４ａは、上円弧部２５ａ、上爪部２６ａ、第１下円弧部２７ａ、第１下爪部２８ａを備える。上円弧部２５ａは、管状部２１ａの上側が後方に向かって延伸されることで構成される、背面視で略半円状のものである。上爪部２６ａは、上円弧部２５ａから内周方向に突出した１つ以上の爪であり、本実施形態では、複数の上爪部２６ａが上円弧部２５ａに沿って所定間隔を空けて設けられており、５つ配置されている。第１下円弧部２７ａは、管状部２１ａの下側が上円弧部２５ａより相対的に前方に位置することで構成される、背面視で略半円状のものである。第１下爪部２８ａは、第１下円弧部２７ａから内周方向に突出した１つ以上の爪であり、本実施形態では１つの爪が第１下円弧部２７ａの下端中央から上に向かって設けられている。これらの上爪部２６ａ及び第１下爪部２８ａと、波形管３の溝とが噛み合って、波形管３が埋設ヘッド２０ａに装着されるのである。なお、上爪部２６ａ及び第１下爪部２８ａは、波形管３の溝と噛み合って、波形管３が開口部２４ａから脱落しないようになっていればよく、上記の数、配置、形状に限られず、様々なものを採用することができる。
【００３６】
傾斜板２２ａは、管状部２１ａの先端に設けられるもので、前方に向かって下方向に傾斜された板状の部材である。この傾斜板２２ａの高さｈは管状部２１ａの径と同じ程度の高さにすることが好ましく、幅ｗは管状部２１ａの外径の６割〜９割程度にすることが好ましく、７〜８割程度にすることがより好ましい。これは、傾斜板２２ａの高さと幅が小さすぎると、埋設ヘッド２０ａが牽引されるときに地中で浮きやすくなって、徐々に地表６０に近付いてくるおそれがあるためである。また、幅が広すぎると、埋設ヘッド２０ａを牽引するときの抵抗が大きくなるからである。取付部２３ａは、第２アーム１２の下端に管状部２１ａを取付けるためのもので、図示しないボルト等で第２アーム１２と埋設ヘッド２０ａとを接合させる。
【００３７】
次に、図４を参照して、埋設ヘッド２０ａの開口部２４ａに対する波形管３の着脱の仕組みを説明する。図４（Ａ）は開口部２４ａに波形管３を装着した状態、図４（Ｂ）は開口部２４ａに波形管３を装着又は取外す（離脱させる）状態を説明する図である。図４（Ａ）に示すように、埋設ヘッド２０ａによって地中に波形管３を引き込むときは、埋設ヘッド２０ａと波形管３とが１つの直線上にあるようにする。この状態では、波形管３の溝に上爪部２６ａと第１下爪部２８ａとが噛み合い、波形管３が後方に引っ張られても抜けることがない。一方、図４（Ｂ）に示すように、波形管３を埋設ヘッド２０ａに対して後方斜め下方向に回動させると、波形管３の溝と、上爪部２６ａ及び第１下爪部２８ａとの噛み合いが解除され、そのまま斜め下に抜き差しすることが可能となる。これを利用して、波形管３を装着するときは、波形管３の端部を後方斜め下側から開口部２４ａに差し込んで、次に上側に持ち上げて図４（Ａ）の状態にすればよい。また、波形管３を取外すときには、地中から埋設ヘッド２０ａを引き上げれば、波形管３が地中に残ることで、図４（Ａ）の状態から図４（Ｂ）に示す状態となり、埋設ヘッド２０ａから波形管３が自然と離脱する。
【００３８】
次に、図５を参照して、他の実施形態に係る埋設ヘッド２０ｂを説明する。これは、第１下円弧部２７ｂが、側面視で斜めに構成され、上円弧部２５ｂの下端と第１下円弧部２７ｂの上端とが連続しているものである。その他の構成は、上記の埋設ヘッド２０ａと同様であるため、符号の末尾をｂに変えて説明を省略する。
【００３９】
また、図６（Ａ）〜（Ｄ）を参照して、さらに他の実施形態に係る埋設ヘッド２０ｃ，２０ｄを説明する。図６（Ａ）は埋設ヘッド２０ｃの側面図、図６（Ｂ）は背面図、図６（Ｃ）は開口部２４ｃが開かれた状態の側面図、図６（Ｄ）は上爪部２６ｄと第２下爪部３１ｄが異なる形態埋設ヘッド２０ｄの背面図である。図６（Ａ）〜図６（Ｃ）に示す埋設ヘッド２０ｃは、管状部２１ｃと、傾斜板２２ｃと、取付部２３ｃとを備え、管状部２１ｃの後端に開口部２４ｃを備える。傾斜板２２ｃ、取付部２３ｃ、及び管状部２１ｃの開口部２４ｃ以外の部分は、上記の埋設ヘッド２０ａと同様の構成であるため、符号の末尾をｃに変えて説明を省略する。
【００４０】
開口部２４ｃは、上円弧部２５ｃ、上爪部２６ｃ、第１下円弧部２７ｃ、円弧板２９、第２下円弧部３０、及び第２下爪部３１ｃを備える。これらのうち、上円弧部２５ｃ、上爪部２６ｃ、第１下円弧部２７ｃは、上記の埋設ヘッド２０ａと同様の構成であるため、説明を省略する。円弧板２９は、第１下円弧部２７ｃから蝶番３４で下方に開閉可能かつ管状部２１ｃの後端である上円弧部２５ｃまでを覆うように設けられた円弧状の板材である。この円弧板２９が設けられることで、管状部２１ｃがその先端から開口部２４ｃまで略円筒形をなすようになる。第２下円弧部３０は、円弧板２９の後端に設けられる半円状のものであり、上円弧部２５ｃと合わせて背面視で円をなす。第２下爪部３１ｃは、第２下円弧部から内周方向に突出した１つ以上の爪である。なお、図６（Ｄ）に示す形態の埋設ヘッド２０ｄでは、上爪部２６ｄと第２下爪部３１ｄは、それぞれが連続された１つの爪で構成され、背面視で略扇状を成している。
【００４１】
また、図６（Ａ）（Ｂ）に示すように、円弧板を閉じる方向に付勢する付勢部３２が、管状部２１ｃのうち第１下円弧部２７ｃ近傍の内面と円弧板２９の内面とにわたって設けられる。この付勢部３２は、本実施形態では引っ張りコイルばねが採用されているが、ねじりコイルばね等、様々なものを採用することができる。また、付勢部３２の代わりに、円弧板２９を閉じた状態において所定の力で保持する閉保持部３３を備えることもできる。ここでは、上円弧部２５ｃ近傍と円弧板２９のうち第２下円弧部３０の近傍とに磁石３３を設けて、互いに吸引させることで円弧板２９を閉じた状態で保持させている。この磁石の代わりに、クリップ等を用いることも可能である。
【００４２】
図１及び図２に戻る。接地基準輪１４は、第１アーム１０に設けられ、第１アーム１０を下側に移動させて地面と略平行の状態にさせたときに、ちょうど地表６０に接地する高さに設けられる。この接地基準輪１４によって、第１アーム１０の高さが略一定に保たれる。特に、埋設ヘッド２０ａの傾斜板２２ａが設けられると、埋設ヘッド２０ａが下方向に潜っていく傾向にあるため、この接地基準輪１４があることによって、埋設ヘッド２０ａが傾斜板２２ａによって地中深くに潜ろうとする力と接地基準輪１４の踏ん張りとが拮抗し、埋設ヘッド２０ａの深さが略一定に保たれるのである。なお、この接地基準輪１４の位置は、本実施形態の位置に限られず、第１アーム１０の後端近傍に設けることもできる。接地基準輪１４を第１アーム１０の後端に設ける場合、図８に示すような畦畔６２越えでの作業の際に、接地基準輪１４と畦畔６２とが干渉することを防止する目的で、接地基準輪１４を跳ね上げ式として、使用しないときは第１アーム１０の上側に跳ね上げておくこともできる。
【００４３】
リール部４０は、第１アーム１０の上に着脱可能に設けられるもので、リール回動部４１、リール基部４３、傾斜機構４７、リール脚部５０、リール着脱部５１、ローラ部５２，５３を備える。これらのリール部４０の構成要素を、図７（Ａ）〜（Ｃ）を参照して説明する。図７（Ａ）〜（Ｃ）は、本実施形態の排水管埋設装置１を後方から見て、リール部４０周辺を模式的に表わしたものであり、図７（Ａ）は通常時の状態、図７（Ｂ）はリール回動部４１を傾斜させた状態、図７（Ｃ）はリール脚部５０によってリール部４０を立設させた状態を示す。
【００４４】
図７（Ａ）に示すように、リール回動部４１は、波形管３を巻き回して収納又は送出するもので、複数の棒材４２が立設され、これらの棒材４２の間に波形管３が渦状に巻き回される（図１参照）。このリール回動部４１は、リール基部４３によって支持される。リール基部４３は矩形のベース板４４の上に回動軸４５がその軸が垂直方向に向くよう設けられ、この回動軸４５にリール回動部４１が取付けられてリール回動部４１が回動自在に支持される。
【００４５】
傾斜機構４７は、ベース板４４を、その下に設けられるフレーム４６に対して傾斜可能とするもので、フレーム４６の一部にベース板４４の一辺が蝶番４８によって接続されることによって実現される。この傾斜機構４７の動作を、図７（Ｂ）を参照して説明する。通常時は図７（Ａ）に示すように回動軸４５が垂直方向にあって、リール回動部４１は水平方向に回動する。このとき、結合ピン４９ａによってリール基部４３はフレーム４６に固定され、リール回動部４１が傾くことはない。そして、リール回動部４１へ波形管３を補充又は取出すようなとき、結合ピン４９ａを抜き、リール回動部４１を第１アーム１０の軸と直交する方向である左右方向に傾斜させる。ここでは進行方向左側にリール回動部４１を傾斜させると、蝶番４８を支点にリール基部４３とリール回動部４１とが傾斜する。その状態で、支持棒５６をフレーム４６とリール基部４３とにかけると、リール回動部４１が傾斜された状態で支持され、波形管３の補充又は取出しが容易となる。
【００４６】
リール着脱部５１は、リール部４０を第１アーム１０から着脱可能にするものである。図７（Ａ）では、フレーム４６の裏側に設けられた形鋼が、第１アーム１０の上に設けられた形鋼１５と結合ピン４９ｂ，４９ｃ（図１参照）で結合されているが、図７（Ｃ）に示す状態では、結合ピン４９ｂ，４９ｃが抜かれて、リール部４０が第１アーム１０から離脱されている。リール脚部５０は、リール部４０を第１アーム１０から離脱させた状態で、リール部４０を地表６０に立設させるものである。リール脚部５０は、図７（Ａ）に示す状態では折畳まれているが、伸ばすことで図７（Ｃ）に示す状態となる。
【００４７】
ローラ部５３，５３は、第１ローラ５２と第２ローラ５３とを備える。これらの第１ローラ５２と第２ローラ５３は、リール回動部４１から波形管３を送出した状態で前記波形管３を保持するものである（図１、図１１等参照）。これらの第１ローラ５２と第２ローラ５３は、ブラケット５４，５５によってフレーム４６に取付られている。また、第２ローラ５３は、そのブラケット５５の横柱が長く構成され、通常時はフレーム４６の中に収納されているが、使用時には後方に引き出して使用することができる（図１１参照）。
【００４８】
次に、上述した本実施形態の排水管埋設装置１の構成要素を踏まえ、図８ないし図１１を参照して、排水管埋設方法の実施形態を説明する。先ず、図８ないし図１１に図示されている圃場６１を説明する。ここでは、水田転換畑において、畑作物を安定的に生産するため、圃場６１の排水性改善をする本実施形態の排水管埋設方法を実施する。この水田転換畑では、圃場６１を囲うように畦畔６２が設けてあり、この畦畔６２の外側に法面６３があってその下に排水溝６４がある。本実施形態の排水管埋設方法では、圃場６１の中に牽引機構２を置いた状態で、排水管埋設装置１の第１アーム１０を、畦畔６２を越えて配置し、畦畔６２の法面６３から圃場６１側に向かって波形管３を挿入させて、その後に圃場６１内に額縁明渠６５を設けるのである。以下に詳しく説明する。
【００４９】
本実施形態の排水管埋設方法は、波形管装着工程と、埋設ヘッド配置工程と、埋設ヘッド埋入工程と、埋設ヘッド牽引工程と、埋設ヘッド引上げ工程と、を含む。先ずは、リール回動部４１から波形管３を引き出し、所定の長さに切断する。次に、図８に示すように、波形管装着工程として、切断した波形管３の端部を、埋設ヘッド２０ａの開口部２４ａの後方斜め下側から差し込んだ後、波形管３を水平方向に持ち上げて装着する（図４（Ｂ）参照）。なお、波形管３の切断は、波形管装着工程から埋設ヘッド埋入工程の後でも良い。
【００５０】
次に、埋設ヘッド配置工程として、埋設ヘッド２０ａを地表６０より低い位置に配置させる。ここでは、第１アーム１０及び第２アーム１２によって埋設ヘッド２０ａが畦畔６２の外側である法面６３にある状態で行なわれ、埋設ヘッド２０ａは圃場６１内の地表６０より低い位置に配置される。次に図９に示すように、埋設ヘッド埋入工程として、牽引機構２を前進させることで第１アーム１０及び第２アーム１２を牽引して、埋設ヘッド２０ａを法面６３から地中に埋入させる。次に、埋設ヘッド牽引工程として、同じく牽引機構２を前進させることで第１アーム１０及び第２アーム１２を牽引して、第２アーム１２で法面６３や畦畔６２等の地表６０から埋設ヘッド２０ａまでの土を切断しつつ、埋設ヘッド２０ａを地中で所定の位置まで前進させる。そして、図１１に示すように、埋設ヘッド引上げ工程として、所定の位置まで埋設ヘッド２０ａが到達したとき、第１アーム１０を上昇させて波形管３を地中に残しつつ埋設ヘッド２０ａを引上げる。このとき、埋設ヘッド２０ａと波形管３とは、図４（Ｂ）に示す状態になり、波形管３を排水管として地中に残したまま埋設ヘッド２０ａを引き上げるだけで、埋設ヘッド２０ａから波形管３を離脱させることができる。次に、必要に応じて図中の点線部分を額縁明渠６５として掘削すればよい。こうすることで、余分な水が額縁明渠６５から排水管（波形管３）を通じて、畦畔６２の外側にある排水溝６４に排水される。
【００５１】
また、図１１に示すように、波形管３を圃場６１内の地中に長く埋設させることもできる。ここでは、先ず、リール部４０を圃場６１の端に配置させる。これは、第１アーム１０の上にリール部４０を積載した状態で、埋設させるルートから少し横にずらした位置に排水管埋設装置１を持って行く。次に、第１アーム１０を上昇させた状態でリール脚部５０を伸ばす。次に、結合ピン４９ｂ，４９ｃを抜いて、第１アーム１０を下降させるとリール脚部５０によってリール部４０が立設される。この状態で第２ローラ５３を後方に引き出して波形管３をリールから引き出す。次に、牽引機構２を操作して、第１アーム１０、第２アーム１２、及び埋設ヘッド２０ａを波形管３を埋設させるルート上に移動させる。次に、上述の排水管埋設方法と同様にして、埋設ヘッド２０ａを地中で牽引して波形管３を法面６３から圃場６１に向かって挿入させ、所望の位置まで排水管として埋設していく。このとき、圃場６１全体から排水させたいのであれば、波形管３の周囲に小さな穴が設けられている有孔管を採用することができる。
【００５２】
また、図１１に示す実施形態に限られず、先に額縁明渠６５又は穴を掘削しておいて、埋設ヘッド配置工程をこの額縁明渠６５又は穴の中で行なっても良い。
【００５３】
以上、説明したように、本実施形態の排水管埋設装置１及び廃す管設置方法によれば、埋設ヘッドの開口部において、上円弧部が相対的に後方に位置し、第１下円弧部が相対的に前方に位置する。このため、波形管を後方斜め下側に捻ることで埋設ヘッドと波形管との着脱を行なうことできる。一方、埋設ヘッドと波形管との軸が同じ直線上にあるときは、上爪部と第１下爪部とで波形管３の溝を保持して、波形管が抜けることがない。これらにより、埋設ヘッドが地中を進みながら波形管を埋設した後、埋設ヘッドを引き上げるだけで埋設ヘッドから波形管を離脱させることができる。
【００５４】
また、埋設ヘッドに円弧板を備える構成では、上爪部と第２下爪部とが同じ円周上にあるため、より効果的に波形管の溝を保持することができる。さらに、円弧板を閉じる方向に付勢する付勢部又は円弧板を閉じた状態かつ所定の力で保持する閉保持部を備える構成では、より確実に波形管を保持することができる。
【００５５】
また、第２アームの前端がナイフ状に尖っているため、畦畔を掘削することなく切断するのみで波形管を埋設することができる。このため、畦畔を掘削して波形管を埋設する方法と比較して、畦畔をその強度を殆ど落とすことなく速やかに修復でき、作業工数の大幅な削減を図ることができるとともに、後で水田として使用するときの水漏れを防止することができる。
【００５６】
また、埋設ヘッドの先端には傾斜板が設けられるとともに、第１アームには接地基準輪が設けられるため、埋設ヘッドを下降させる力と第１アームを所定の位置より下降させない力とが拮抗し、埋設ヘッドの深さを一定に保つことができる。
【００５７】
また、第１アームから着脱可能なリール部を備え、リール部に波形管を収納又は放出させることができるため、波形管の埋設作業を迅速に行なうことができる。さらに、リール回動部を傾斜させることができるため、波形管の補充が容易である。またさらに、リール回動部の後方で波形管を保持する第２ローラが、後方に引き出せるため、圃場内にリール部を配置させた状態で波形管の向きを１８０度反転させて、畦畔の法面に波形管を滑らかに送り出すことができる。
【００５８】
なお、上述の排水管埋設装置及び排水管埋設方法は、本発明の例示であり、発明の趣旨を逸脱しない範囲においてその構成を適宜変更することができる。
【符号の説明】
【００５９】
１・・排水管埋設装置、２・・牽引機構（トラクタ）、３・・波形管、４・・３点リンク、
１０・・第１アーム、１１・・連結部、１２・・第２アーム、１３・・刃、１４・・接地基準輪、１５・・形鋼、
２０ａ，２０ｂ，２０ｃ・・埋設ヘッド、２１ａ，２１ｂ，２１ｃ・・管状部、２２ａ，２２ｂ，２２ｃ・・傾斜板、２３ａ，２３ｂ，２３ｃ・・取付部、
２４ａ，２４ｂ，２４ｃ・・開口部、２５ａ，２５ｂ，２５ｃ・・上円弧部、２６ａ，２６ｂ，２６ｃ，２６ｄ・・上爪部、２７ａ，２７ｂ，２７ｃ・・第１下円弧部、２８ａ，２８ｂ・・第１下爪部、２９・・円弧板、３０・・第２下円弧部、３１ｃ，３１ｄ・・第２下爪部、３２・・付勢部、３３・・閉保持部、３４・・蝶番（埋設ヘッド）
４０・・リール部、４１・・リール回動部、４２・・棒材、４３・・リール基部、４４・・ベース板、４５・・回動軸、４６・・フレーム、４７・・傾斜機構、４８・・蝶番（リール部）、４９ａ，４９ｂ，４９ｃ・・結合ピン、５０・・リール脚部、５１・・リール着脱部、５２・・第１ローラ（ローラ部）、５３・・第２ローラ（ローラ部）、５４，５５・・ブラケット、５６・・支持棒、
６０・・地表、６１・・圃場、６２・・畦畔、６３・・法面、６４・・排水溝、６５・・額縁明渠、
【要約】
【課題】埋設ヘッドを地中から引き上げるだけで埋設ヘッドから波形管を取り外すことができるようにする。
【解決手段】牽引機構２に連結され、後方に向かって設けられ上下方向に可動可能な第１アーム１０と、前記第１アームから下方に向かって設けられる第２アーム１２と、前記第２アームの下端に設けられ、前端が閉じられるとともに後端が開口部２４ａによって開口され、前記開口部に波形管３の一端が装着される管状部２１ａを備える埋設ヘッド２０ａと、を備え、前記開口部は、後方に向かって延伸される上円弧部２５ａ、前記上円弧部から内周方向に突出した１つ以上の上爪部２６ａ、前記上円弧部より相対的に前方に位置する第１下円弧部２７ａ、及び前記第１下円弧部から内周方向に突出した１つ以上の第１下爪部２８ａを備える。
【選択図】図１【図１】
0006899113.tif 000002
【図２】
0006899113.tif 000003
【図３】
0006899113.tif 000004
【図４】
0006899113.tif 000005
【図５】
0006899113.tif 000006
【図６】
0006899113.tif 000007
【図７】
0006899113.tif 000008
【図８】
0006899113.tif 000009
【図９】
0006899113.tif 000010
【図１０】
0006899113.tif 000011
【図１１】
0006899113.tif 000012